(57)【特許請求の範囲】
【請求項１】
複数のランプを有する照明器具に用いられるランプホルダであって、
前記ランプに着脱可能に形成された複数の着脱部と、複数の前記着脱部を接続する接続部とを有し、
前記接続部の長さが、隣り合う前記ランプの間の距離に応じて調整可能であり、
前記着脱部の大きさが前記ランプの径に応じて調整可能であり、
前記着脱部に装着された前記ランプのみにより支持される、ランプホルダ。
【請求項２】
前記着脱部の大きさが、異なる径を有するランプに応じてそれぞれ調整可能である、請求項１に記載のランプホルダ。
【請求項３】
前記ランプホルダが、金属又は耐熱性の透明樹脂からなる、請求項１または２に記載のランプホルダ。
【発明の詳細な説明】
【技術分野】
【０００１】
本発明は、複数のランプを有する照明器具に用いられるランプホルダに関する。
【背景技術】
【０００２】
直管形ランプを有する照明器具では、ランプは、その両端をソケットにより支持される。このように、両端で支持されたランプでは、外力によるランプの割れや、ソケット不良や、照明器具の振動などにより、ランプが落下する危険性がある。また、ランプや点灯回路などの不具合によりランプの端子部分が加熱されることで、ソケットが溶解して、ランプが落下する可能性もある。
【０００３】
ランプの落下防止のため、長いランプ長のランプ（例えば、ＦＬＲ１１０形のランプ。）を有する照明器具は、ランプを支持するランプホルダが設けられている。図４（ａ）は、典型的なランプホルダを備えた照明器具の斜視図である。図４（ｂ）は、図４（ａ）のランプホルダ周辺部の拡大図である。照明器具本体４５には、ランプホルダ４１が固定されている。また、照明器具本体４５には、２つのランプ４４が取り付けられており、それぞれのランプ４４は、２つのランプホルダ４１によって支持されている。ランプホルダ４１は、照明器具本体４５に固定されており、ランプ４４の落下を防止する。通常、ランプホルダ４１は、照明器具の製造段階で照明器具本体４５に固定される。そのため、照明器具の製造後、さらなるランプホルダ４１の設置や、ランプホルダ４１の位置の変更などは困難である。
【０００４】
また特許文献１では、照明器具本体に着脱可能なランプホルダが開示されている。特許文献１に記載のランプホルダは、概略、ランプを支持するランプ支持部と、照明器具本体と固定される固定部を有する。そしてランプホルダは、必要なときに照明器具本体に固定され、不要なときに照明器具から取り外される。このように、必要性に応じて、ランプホルダの着脱を可能としている。
【特許文献１】特開平１１−５３９１７号公報
【発明の開示】
【発明が解決しようとする課題】
【０００５】
特許文献１に記載のランプホルダを利用する場合、照明器具本体と固定されるように、照明器具本体は被固定部を有する。つまり、ランプホルダは、予め被固定部が設計された箇所にのみ固定可能である。したがって、ランプホルダの数を予め設計された数より多くすることや、ランプホルダの固定位置を変更することは困難である。
【０００６】
本発明の目的は、上記背景技術の課題に鑑み、製造後の照明器具におけるランプに対して、任意の箇所に、任意の個数設置できるランプホルダを提供することである。また、本発明の他の目的は、異なるランプの間の距離及び異なるランプの径を有するランプに着脱可能なランプホルダを提供することである。
【課題を解決するための手段】
【０００７】
本発明のランプホルダは、複数のランプを有する照明器具に用いられるランプホルダであって、ランプに着脱可能に形成された複数の着脱部と、複数の着脱部を接続する接続部とを有する。
【発明の効果】
【０００８】
本発明によれば、製造後の照明器具におけるランプに対して、任意の箇所に、任意の個数設置できるランプホルダを提供することができる。
【発明を実施するための最良の形態】
【０００９】
以下、本発明の実施形態について図面を参照して説明する。図１（ａ）は、本発明の一実施例に関するランプホルダが装着されたランプの下面図である。また、図１（ｂ）は、図１（ａ）のＡ−Ａ線に沿った断面図、すなわち、ランプホルダの断面図である。ランプホルダ１１は、照明器具のソケット（不図示）に端部が支持されたランプ１４に着脱可能に形成された２つの着脱部１３と、２つの着脱部１３を接続する接続部１２とを有する。着脱部１３は、ランプ１４に着脱できるようにC字状に形成されている。着脱部１３のランプ１４を装着できる開口径の大きさは、装着するランプ１４の径に合わせて構成される。
【００１０】
２つの着脱部１３の各々は、別々のランプ１４に装着される。一方のランプ１４が割れたりソケットから外れたりした場合、他方のランプ１４は正常に照明器具のソケット（不図示）に支持されたままである。したがって、他方のランプ１４に装着された状態のランプホルダ１１により、一方のランプ１４の落下が防止される。
【００１１】
ランプホルダ１１は照明器具本体に固定される必要がないため、製造後の照明器具におけるランプ１４に対して、任意の箇所に、任意の個数設置できる。したがってランプホルダ１１は、フィラメントが発する熱の影響を受けにくい箇所や、ランプ１４の耐震性に問題がある箇所に容易に設置可能である。これにより、耐震性の高い照明器具を新規に購入することなく、安全性を高めることが可能である。
【００１２】
ランプホルダ１１としては、ランプ１４に着脱可能であり、ランプ１４から落下しなければ、どのような材料から構成されても良い。そのような材料として、適当な弾力性を有する金属や、樹脂などが挙げられる。樹脂としては、耐熱性を有することが望ましい。また、ランプ１４から発せられる光を遮らないように、透明樹脂であることがより望ましい。
【００１３】
図２（ａ）、（ｂ）は、本発明におけるランプホルダの別の実施例に関する側面図である。ランプホルダ１１は、照明器具のソケット（不図示）に端部が支持されたランプ（不図示）に着脱可能に形成された２つの着脱部１３と、２つの着脱部１３を接続する接続部１２とを有する。着脱部１３は、ランプに着脱できるようにC字状に形成されている。そして、接続部１２の長さがランプの間の距離に応じて調整可能であるように、接続部１２は伸縮機構を有する。図２（ａ）は、接続部１２の長さを短くした場合の模式図であり、図２（ｂ）は、接続部１２の長さを長くした場合の模式図である。
【００１４】
伸縮機構としては、接続部１２の少なくとも一部を多重の筒状部材から構成し、それらの筒状部材をスライド式に伸縮可能な機構とすれば良い。このようにして、接続部１２は、隣り合うランプの間の距離に応じて伸縮可能となる。一方のランプがソケットから外れた場合、そのランプの落下を確実に防止するように、接続部１２の長さが固定された状態で、外れたランプを支えることが望ましい。そのためには、重なり合う筒状部材の摩擦力を適当な大きさにすれば良い。また、外側の筒状部材の側面に開口部を設け、開口部に、例えばネジのような内側の筒状部材を強く圧接可能な機構を設けても良い。
【００１５】
伸縮機構としては、上記例に限らず、ランプの間の距離に応じて接続部１２の長さが調整可能であれば、どのような機構でも構わない。これにより、隣り合うランプの間の距離に依らず、同一のランプホルダ１１で、様々なランプに着脱可能である。
【００１６】
図３（ａ）、（ｂ）は、本発明におけるランプホルダの別の実施例に関する側面図である。ランプホルダ１１は、照明器具のソケット（不図示）に端部が支持されたランプ（不図示）に着脱可能に形成された２つの着脱部１３と、２つの着脱部１３を接続する接続部１２とを有する。着脱部１３は、ランプに着脱できるようにC字状に形成されている。着脱部１３は、その大きさがランプの径に応じて調整可能であるように構成されている。図３（ａ）は、着脱部１３を小さくした場合の模式図であり、図３（ｂ）は、着脱部１３を大きくした場合の模式図である。
【００１７】
着脱部１３の大きさを調整可能とするために、少なくとも着脱部１３をランプ外周に合わせて塑性変形させることが出来る金属材料から構成すれば良い。また、Ｃ字状の着脱部１３において、着脱部１３の一部分を多重の筒状部材とし、スライド式に伸縮可能な構成としても良い。着脱部１３の大きさを調整する機構は、着脱部１３の大きさが調整可能であれば、上記例に限らない。このようにして、ランプホルダ１１は、ランプの径に依らず、様々なランプに着脱可能である。
【００１８】
また、２つの着脱部１３の大きさが異なるように、着脱部１３の大きさが調整可能であっても構わない。そうすることで、ランプの径の異なるランプに対して、着脱可能なランプホルダ１１となる。また、接続部１２の長さと着脱部１３の大きさの両方が、調整可能であっても良い。これにより、様々なランプに対して、着脱可能なランプホルダ１１となる。
【００１９】
照明器具としては、複数のランプを有し、ランプホルダ１１の着脱部１３がランプに着脱可能であれば、どのようなものでも構わない。そのようなものとして、多灯用の直管形ランプや環形ランプなどが挙げられる。また、ランプホルダ１１は照明器具に固定されないため、照明器具を簡易な構造とすることができる。
【００２０】
以上、本発明者によってなされた発明を実施例に基づき具体的に説明したが、本発明は上記実施例に限定されるものではなく、その要旨を逸脱しない範囲で種々変更可能であることは言うまでもない。
【００２１】
例えば、本実施例では、ランプホルダは２つの着脱部を有するものであったが、３つ以上の着脱部を有するものでも構わない。そのようなランプホルダは、照明器具が有するランプの数が３本以上の場合に着脱可能である。
【００２２】
また本実施例では、ランプホルダの着脱部をＣ字状としたが、着脱部の形状は、ランプの形状に応じて種々変更可能である。例えば、ランプの断面形状が四角形の場合、着脱部の形状は、ランプと着脱可能なように着脱部の一部を開口した略四角形とすれば良い。
【図面の簡単な説明】
【００２３】
【図１】（ａ）は、本発明の一実施例に関するランプホルダが装着されたランプの下面図、（ｂ）は（ａ）のＡ−Ａ線に沿った断面図。
【図２】本発明の一実施例に関するランプホルダの側面図。（ａ）は、接続部の長さを短くした場合の模式図、（ｂ）は、接続部の長さを長くした場合の模式図。
【図３】本発明の一実施例に関するランプホルダの側面図。（ａ）は、着脱部の大きさを小さくした場合の模式図、（ｂ）は、着脱部の大きさを大きくした場合の模式図。
【図４】（ａ）は、従来の典型的なランプホルダによって支持されたランプの斜視図、（ｂ）は、ランプホルダ周辺部の拡大図。
【符号の説明】
【００２４】
１１、４１    ランプホルダ
１２          接続部
１３          着脱部
１４、４４    ランプ
４５          照明器具本体
【図１】
0005070595.tif 000002
【図２】
0005070595.tif 000003
【図３】
0005070595.tif 000004
【図４】
0005070595.tif 000005